(57)【特許請求の範囲】
【請求項１】
一面を開口した断熱箱体内に商品の貯蔵室を形成し、該貯蔵室の床部に商品を陳列載置する商品陳列棚を設け、該商品陳列棚上の商品を冷気にて保冷する冷凍・冷蔵ショーケースにおいて、
前記商品陳列棚の後部に、一端を商品陳列棚の基部両側に軸支され、かつ該商品陳列棚の後部両側に開けられたガイド溝に案内されて旋回するステーと、該ステーの他端に支持され、ステーの旋回により上下動する可変棚と、該可変棚の後端に折り畳み可能に取り付けられた後面塞ぎ板とからなる折り畳み可能な補助陳列棚を設けたことを特徴とする冷凍・冷蔵ショーケース。
【請求項２】
前記補助陳列棚は、可変棚立ち上げ時、ステーがやや後方に傾斜するまで旋回し、後面塞ぎ板に固着したマグネットがショーケース貯蔵室内の背面板に吸着して固定されることを特徴とする請求項１記載の冷凍・冷蔵ショーケース。
【発明の詳細な説明】
【０００１】
【発明の属する技術分野】
本発明は、集客度合いに応じて商品の陳列を変化することのできる補助陣列棚付の冷凍・冷蔵ショーケース関する。
【０００２】
【従来の技術】
スーパーマーケット等のセルフサービス方式の食品販売店では、冷蔵食品や、冷凍食品等の陳列に、上部を開口し、開口部を冷気のエアカーテンで覆った平型の冷凍・冷蔵ショーケースがよく使用されている。
従来の平型（両面）ショーケース５１は、図７に示すように、上部を開口した箱体に形成された商品収納部５２と、この商品収納部５２を適度の高さに保つ台座部５３とから構成され、商品収納部５２はその中央に設けられた中間仕切壁５４により、２つの陳列部５２ａ，５２ｂに分断されている。
前記商品陳列部５２ａ，５２ｂを囲む外板は、発泡パネルの外装パネル５５を兼ねる一体発泡パネル構造からなっている。
前記外装パネル５５と商品の陳列部５２ａ，５２ｂの間には、所定空間を設けて冷気の循環ダクト５６が形成してあり、商品収納部５２の床下循環ダクト５６内には、冷却器５７とファン５８が配設されている。この冷却器５７で冷却された冷気は、ダクト５６を通って、商品収納部５２の中央に設けられた中間仕切壁５４の内側を通り、中間仕切壁５４の両サイドの吹出口５９，５９から、それぞれ商品の陳列部５２ａ，５２ｂに向けて吹き出され、ケース両サイド内側の吸込口６０，６０に吸い込まれて再びダクト５６内に循環される構造になっている。
【０００３】
ところで、スーパーマーケット等の店舗においては、ウィークデーと土・日曜日では、集客度合いが全く異なるため、集客の多い土日に購買意欲を増進させる必要から、商品陳列を変化させたい事情がある。
そこで、図７のように、平型ショーケース５１等において、従来、商品を変化陳列させるために、商品陳列棚６１の後部上に、スチロール製等のブロック状のアンコ（台）６２を置いて（図７左側）、その上に商品を置いて目立たせたり、ショーケース背面に棚スロット６３があるものには、棚板６４を設けて（図７右側）、陳列面積を多くし、棚板６４上に目玉商品を載置して、購買意欲を煽るようにしていた。
【０００４】
【発明が解決しようとする課題】
しかしながら、従来のように、土曜・日曜日にアンコ６２や棚板６４をセットして、商品陳列を変えることは、店舗の従業員（特にパートの女性）にとっては煩雑で、特に、ウィークデーに棚板６４やアンコ６２を、売場と離れた場所に保管している場合には、大変な労力を必要としていた。また、作業負担の他に、保管場所等のスペース等も必要となった。
【０００５】
本発明は、上記の点に鑑み創案されたもので、必要なときだけ、補助陳列棚を立ち上げ、不必要なときには折り畳んで、商品陳列の変化に対応でき、極めて簡単に作業ができると共に、保管スペースを必要としない補助陳列棚を備えた冷凍・冷蔵ショーケースを提供することを目的とする。
【０００６】
【課題を解決するための手段】
上記課題を解決するため、本発明の冷凍・冷蔵ショーケースにおいては、一面を開口した断熱箱体内に商品の貯蔵室を形成し、該貯蔵室の床部に商品を陳列載置する商品陳列棚を設け、該商品陳列棚上の商品を冷気にて保冷する冷凍・冷蔵ショーケースにおいて、前記商品陳列棚の後部に折り畳み可能な補助陳列棚を設けたもので、この補助陳列棚は、一端を商品陳列棚の基部両側に軸支され、かつ該商品陳列棚の後部両側に開けられたガイド溝に案内されて旋回するステーと、該ステーの他端に支持され、ステーの旋回により上下動する可変棚と、該可変棚の後端に折り畳み可能に取り付けられた後面塞ぎ板とで構成したことを特徴とし、簡単な構成からなるものである。
そして、前記補助陳列棚は、可変棚立ち上げ時、ステーがやや後方に傾斜するまで旋回し、後面塞ぎ板に固着したマグネットがショーケース貯蔵室内の背面板に吸着して固定されるようにするのが、前倒れを防止して安定した棚とする上で好ましい。
【０００７】
上記構成を採用したことにより、集客度合いによる商品陳列の変化に対応することができ、しかも、簡単に能率よく作業ができ、ひいては、店舗の売り上げを促進させることができる。
【０００８】
【発明の実施の形態】
以下、本発明の好ましい実施の形態を図面に基づいて説明する。
図１は本発明を平型ショーケースに適用したもので、補助陳列棚の立ち上げ状態を示す断面側面図、図２は同じく補助陳列棚の折り畳み状態を示す断面側面図、図３は補助陳列棚を立ち上げた状態を示す商品陳列棚の斜視図、図４は補助陳列棚を折り畳んだ状態を示す商品陳列棚の斜視図、図５は図３のＡ−Ａ断面図、図６は図３のＢ部詳細図である。
【０００９】
図１及び図２の平型ショーケース１の右片側に、補助陳列棚２を示す。図１は、補助陳列棚２が商品陳列棚３より立ち上がった状態で、４本のステー４が起立し、可変棚５が棚板のように使用できる状態となっている。そして、可変棚５に連接された後面塞ぎ板６が、ちょうど折れ曲がって、中間仕切壁７の背面板７ａに密着している。
図２は、補助陳列棚２が商品陳列棚３に折り畳まれた状態で、４本のステー４が倒れ、可変棚５と後面塞ぎ板６が商品陳列棚３の上に被さっている。
なお、図１及び図２の左片側には、従来のままの商品陳列棚６１が傾斜した状態で取り付けられている。
【００１０】
補助陳列棚２は、図３乃至図６に示すように、商品陳列棚３の後部両側に開けられた直線状のガイド溝３ａ，３ｂに案内されて旋回し、一端を商品陳列棚３の基部のアングル状部材９にそれぞれ遊着させた４本のステー４と、該ステー４に支持され、ステー４の旋回により立ち上がり、折り畳み自在となる可変棚５と、該可変棚５の後端に蝶番１０（図６参照）で折り畳み可能に設けられた後面塞ぎ板６とから構成されている。
【００１１】
そして、図３及び図５に示すように、ステー４の一端は、商品陳列棚３の縁部３ｃに、ネジ１１の頭を通すバカ孔３ｄを介して、内側の基部のアングル状部材８に、該アングル状部材８の内側にナット１２を設けて遊着されている。
また、ステー４の他端も、可変棚５の縁部５ａに、ネジ１３の頭を通すバカ孔５ｂを介して、内側の基部のアングル状部材９に、該アングル状部材９の内側にナット１４を設けて遊着されている。
【００１２】
前記補助陳列棚２は、可変棚５立ち上がり時、ステー４がやや後方に傾斜するまで旋回し、後面塞ぎ板６が蝶番１０で折れ曲がって、背面板７ａに密着し、後面塞ぎ板６に設けられたマグネット１５が背面板７ａに吸着して固定状態となる。このため、可変棚５部分が、商品荷重で、手前に倒れることが防止される。
【００１３】
このように形成した本実施形態の補助陳列棚付きのショーケースによれば、多客時に補助陳列棚２を立ち上げて、上段となるこの補助陳列棚２に利益率の高い高額商品、例えば、鮮魚で言えばイクラやトロ等の刺身単品少量パックを陳列し、下段となる商品陳列棚３に刺身ファミリーパックや丸物の大衆魚等を陳列することにより、目玉商品を目立たせた変化に富んだ陳列が簡単に可能になる。
なお、本実施の形態では、いわゆる中島アイランドケースである平型ショーケース（両面）に本発明を適用した例を示したが、中間仕切壁のない上面全部解放のいわゆる平ケースにも適用できることは勿論であり、また、多段式のショーケースでも最下段の床部等に適用できる。
【００１４】
【発明の効果】
以上説明したように、本発明の補助陳列棚付きの冷凍・冷蔵ショーケースによれば、次のような効果を奏する。
（１）集客度合いによる商品陳列の変化に、補助陳列棚を立ち上げて組み立てたり、折り畳んで収納したりすることにより、対応することができる。
（２）補助陳列棚の立ち上げや折り畳みが、簡単な構造で、簡単に行うことができ、手前と後部２段の変化した商品の陳列が行える。
（３）アンコ（台）や棚板を用意し、取り付ける労力を要せず、簡単に短時間で商品陳列を変化させることができる。
（４）ウィークデーにアンコや棚板を保管する必要がなくなり、これらの保管スペースを確保する必要がない。
（５）ショーケースの貯蔵室背面に棚スロットを持たない（棚板を取り付けられない）既設の平型ショーケースでも、床部にこの陳列棚を使用すれば、棚板を使用した時と同様の変化に富んだ陳列を行うことができる。
【図面の簡単な説明】
【図１】  本発明を平型（両面）ショーケースに適用したもので、補助陳列棚を立ち上げた状態の断面側面図である。
【図２】  本発明を平型（両面）ショーケースに適用したもので、補助陳列棚を折り畳んだ状態の断面側面図である。
【図３】  補助陳列棚を立ち上げた状態の商品陳列棚を示す斜視図である。
【図４】  補助陳列棚を折り畳んだ状態の商品陳列棚を示す斜視図である。
【図５】  図３のＡ−Ａ断面図である。
【図６】  図３のＢ部詳細図である。
【図７】  従来の平型（両面）ショーケースに適用されたアンコと棚板を示す断面側面図である。
【符号の説明】
１  平型（両面）ショーケース
２  補助陳列棚
３  商品陳列棚
３ａ  ガイド溝
３ｂ  ガイド溝
３ｃ  縁部
３ｄ  バカ孔
４  ステー
５  可変棚
５ａ  縁部
５ｂ  バカ孔
６  後面塞ぎ板
７  中間仕切壁
７ａ  背面板
８  アングル状部材（商品陳列棚）
９  アングル状部材（可変棚）
１０  蝶番
１１  ネジ
１２  ナット
１３  ネジ
１４  ナット
１５  マグネット
【図１】
0004172557.tif 000002
【図２】
0004172557.tif 000003
【図３】
0004172557.tif 000004
【図４】
0004172557.tif 000005
【図５】
0004172557.tif 000006
【図６】
0004172557.tif 000007
【図７】
0004172557.tif 000008